(57)【特許請求の範囲】
【請求項１】
ドアに埋め込まれるようにして設置されるケースと、
前記ケースの少なくとも室外側の面を覆うようにして、前記ケースと共に前記ドアに埋め込まれるように設けられるガードプレートと、
前記ケースに配設されるシリンダ錠外周に中心孔が嵌め込まれ、前記ケースの室外側の面を覆うように該ケースおよび前記ガードプレートの間に挟持されるドーナツ状のガードディスクと、
前記ガードディスクの室内側の面と前記ケースの室外側の面との間に挟持されるベアリング手段と、を具備し、
前記ガードディスクに外部から回転力が作用したとき、前記ガードディスクが前記ケースに対して相対回転するように構成され、
前記シリンダ錠の鍵挿入側端面が、前記ガードプレートの室外側面と略同一面か、または、微少量だけ室外側へ突出させたことを特徴とする、
錠ケース。
【請求項２】
前記ベアリング手段を、前記シリンダ錠を中心とする同心円上に配置された複数個のボールで形成したことを特徴とする、
請求項１記載の錠ケース。
【請求項３】
前記ガードプレートの穴部の内周縁と、前記シリンダ錠外周との間に所定の環状隙間が形成されることを特徴とする、
請求項１または２記載の錠ケース。
【請求項４】
前記ガードディスクの穴部近傍に、前記所定の環状隙間を埋めるように臨む環状の段付き部を形成し、かつ、該段付き部を前記ガードプレートの室外側の表面と略面一に形成したことを特徴とする、
請求項３に記載の錠ケース。
【請求項５】
前記ガードプレート、前記ガードディスク、または前記ボールは、焼き入れ処理を施したことを特徴とする、
請求項１〜４のいずれか１項に記載の錠ケース。
【発明の詳細な説明】
【技術分野】
【０００１】
本発明は、玄関扉等のドアに装着した錠前をホールソー等の工具による破壊から防止する錠ケースに関する。
【背景技術】
【０００２】
従来、ホールソー等の工具による錠前の攻撃に対する対策を施した技術として、特許文献１〜４が知られている。特許文献１〜４に記載された技術は、いずれもドア取り付け面から室外側へ大きく突出して装着されるシリンダ錠において、シリンダ錠を取り付け部材で抱持する構成を基本形態として有する。そして、特許文献１は係る取り付け部材そのものを焼き入れ処理した構成、特許文献２はシリンダ錠の室外端面側に焼き入れ処理を施した抵抗プラグを設けた構成、特許文献３は硬質スライド防御板を設けた構成、および、特許文献４はセラミックスからなる高硬度のボールを設けた構成を備えた技術である。これらの構成により、ホールソー等の工具によって錠前が攻撃を受けた場合でも、ホールソーによる切削を困難にし（特許文献１）、刃先が抵抗プラグと接触して振動や異音を発し（特許文献２）、スライド防御板を回転させ（特許文献３）、ボールとの接触によりホールソーの刃を破損させる（特許文献４）などにより、シリンダ錠のもぎ取りを防止するようにしている。
【０００３】
ところが、特許文献１〜４の技術では、シリンダ錠に対する攻撃には有効であるが、錠ケース本体に対する攻撃からの対策を講じた構成を有するものではない。係る錠ケースへの攻撃対策を講じた技術として、特許文献５記載のものがある。この特許文献５の技術は、錠ケース（錠箱）の外側に焼き入れ処理をした錠箱補強体を設けた構成を有し、ホールソーの刃先による錠箱補強体への攻撃に対抗することで、シリンダ錠のもぎ取りを防止するものである。
【特許文献１】特開２００２−３３９６０３号公報
【特許文献２】特開２００２−３３２７６０号公報
【特許文献３】特開２００５−３０７６８０号公報
【特許文献４】特開２００６−３７３４３号公報
【特許文献５】特開２００４−３５３２２２号公報
【発明の開示】
【発明が解決しようとする課題】
【０００４】
しかしながら、上記の特許文献５のものにあっては、ホールソーの刃が超硬素材で形成された場合には、如何に錠箱補強体の強度を増大させても、錠箱補強体の破壊は可能となり、このため、シリンダ錠のもぎ取りを根本的に解消できない問題がある。
【０００５】
殊に近年、シリンダ錠のもぎ取り防止およびデザイン面からの要請により、シリンダ錠自体をドア取り付け面から極力突出させない形態、すなわち、錠前の一部しか外部に見えないようにした形態の錠前にあっては、シリンダ錠の攻撃対策ではなく、錠ケース自体へのホールソー攻撃から対策を講じる必要性がますます大きくなっている。
【０００６】
本発明は上記の技術的課題に鑑みてなされたものであり、錠前部周辺のホールソー等による攻撃に対抗しうる錠ケースを提供することを目的とする。
【課題を解決するための手段】
【０００７】
（１）上記の目的を達成するために、本発明は次のような構成を採用することとした。すなわち、本発明は、錠ケースであって、ケースと、前記ケースの少なくとも室外側の面を覆うように設けられるガードプレートと、前記ケースに配設されるシリンダ錠外周に中心孔が嵌め込まれ、前記ケースおよび前記ガードプレートの間に挟持されるドーナツ状のガードディスクと、前記ガードディスクの室内側の面と前記ケースの室外側の面との間に挟持されるベアリング手段と、を具備し、前記ガードディスクに外部から回転力が作用したとき、前記ガードディスクが前記ケースに対して相対回転するように構成されたことを特徴とする。
【０００８】
係る構成によれば、ホールソー等の工具の刃先がガードディスクに到達し、ガードディスクに外部からの回転力が伝達されると、ガードディスクがべアリング手段を介して錠ケースに対して回転する。このように、ホールソー等の工具はガードディスクと共に同期してシリンダ錠回りを回転するので、ホールソー等の工具の刃はケースを切削できず、決してケースに到達することがなく、ケースそのものの破壊は確実に阻止される。したがって、錠ケースに格納されるデッドボルトを駆動するカム等の錠機構を、ガードディスクによりホールソー破壊から保護するので、シリンダ錠のもぎ取りを困難化あるいは回避でき、ホールソー等の工具による錠ケースの攻撃を未然に防止できるようになる。
【０００９】
（２）また、前記ベアリング手段を、前記シリンダ錠を中心とする同心円上に配置された複数個のボールで形成してもよい。
【００１０】
この構成によれば、ベアリング手段を複数個のボールで形成するので、ガードディスクが万一切削されてしまっても、ボールの存在により、ホールソーの刃が損傷し、錠ケースの破壊ができなくなる。また、ボールを設けるだけでガードディスクを回転させることができるので、シリンダ錠の軸線方向の厚み寸法を小さく設定可能となる。したがって、薄くて丈夫な転がり易いベアリング手段を実現でき、また、ボールを設置するだけの簡単な構成であるので、錠ケースを安価に製作できるようになる。
【００１１】
(３)また、前記ガードプレートの穴部の内周縁と、前記シリンダ錠外周との間に、所定の環状隙間が形成されるようにしてもよい。
【００１２】
係る構成とすることで、環状隙間からガードディスクが外部から露呈するようにしているので、ホールソーの刃がガードディスクに噛みつき易くなり、好都合となる。
【００１３】
(４)また、前記ガードディスクの穴部近傍に、前記環状隙間を埋めるように臨む環状の段付き部を形成し、かつ、該段付き部を前記ガードプレートの室外側の表面と略面一に形成することも可能である。
【００１４】
この構成により、ガードプレートとガードディスクとが面一の状態に設定されるので、シリンダ錠の外側端面近傍のデザイン処理により外観体裁の優れた錠ケースを得ることができるようになる。
【００１５】
(５)また、前記シリンダ錠の鍵挿入側端面が、前記ガードプレートの室外側面と略同一面か、または、微少量だけ室外側へ突出させるのが好ましい。
【００１６】
係る構成によれば、錠ケースを、錠前の一部、つまり、シリンダ錠の外側端面（鍵挿入孔側の端面）がドア室外側外面からほとんど突出しない形態の錠前に用いることも可能となり、その場合には、ホールソーなどの工具の攻撃に対して錠ケースの破壊を確実に図ることができるようになる。勿論、シリンダ錠回りがすっきりした外観体裁を呈することにもなる。
【００１７】
(６)また、前記ガードプレート、前記ガードディスク、または前記ボールは、焼き入れ処理を施すのが好ましい。
【００１８】
この構成によれば、焼き入れ処理を施したこれら部品により、一般のドリルによる破壊も行えないようにできる。
【発明の効果】
【００１９】
本発明に係る錠ケースによれば、ホールソー等の工具による破壊が試みられた場合でも、錠ケースの破壊を困難にし、あるいは確実に阻止でき、ひいては錠前の一部しか見えないタイプ、すなわち、シリンダ錠がドア外板面より出っ張る量が少ないタイプの錠前を具備する錠ケースの破壊対策に極めて有利となる。
【発明を実施するための最良の形態】
【００２０】
以下、本発明に係る錠ケースの一実施形態を、図を参照して詳述する。図１は一実施形態における錠ケースの外観側面図、図２は図１のＩＩ−ＩＩ線における縦断面図、図３はガードプレートの外観側面図、図４は図３のＩＶ−ＩＶ線における縦断面図、図５はガードディスクの外観図、図６は図２の要部拡大縦断面図である。
【００２１】
錠ケース１は、図１、図２に示されるように、玄関扉などのドアに埋め込まれるようにして設置され、錠機構を格納したケース２と、ケース２を覆うガードプレート３と、ケース２内の施解錠機構を作動させるシリンダ錠４と、ガードプレート３およびケース２の間で挟持されるガードディスク５と、ベアリング手段６とを具備する。
【００２２】
ケース２は、薄板に冷間圧延された炭素鋼（ＳＰＣＣ）を板金加工により箱形に形成され、外面にクロメートメッキ処理が施され、ケース２内から外部へ出没自在のデッドボルト２ａ、ラッチ２ｂを有すると共に、ケース２内にこれらを駆動するカム等といった錠機構が収納され、さらに、錠機構を外部から操作するシリンダ錠４がケース２に収容・固定される。なお、ケース２の室内側には、図示されないサムターンが設けられ、室内側からシリンダ錠４を施解錠できるようになっている。
【００２３】
また、ケース２の図示しないドアヒンジと反対側におけるドア端面側には、帯状の取り付け部２ｃが折り起こされて形成され、別体の帯状の化粧プレート２ｄと共に図示されない皿ねじによりドア端面に締結することで、ケース２は後述のガードプレート３と一体にドアに固定されるようになっている。
【００２４】
ガードプレート３は、ケース２と同様にＳＰＣＣを素材とし、浸炭焼き入れ処理がなされ、表面にクロメートメッキがされる。ガードプレート３は、図３、図４に示すように、室内側（図１の裏側）およびドア端面側が開口された開放型の箱形状を基本形態とし、ケース２を収容して、室外側の面において皿ねじ７を締付けることでケース２に一体に組み込むことができるようになっている。
【００２５】
また、ガードプレート３の室外側の面には、円筒形状のシリンダ錠４を受容するシリンダ錠４と略同心円的な穴部３ａが穿たれ（図３参照）、穴部３ａの内周縁を基本面３ｄから室外側へ段差を有して若干高くせり上がる円環状の段付き部３ｂが形成される（図４，図６参照）。
【００２６】
こうして、段付き部３ｂの室内側の面とケース２の室外側の面との間には、後述するガードディスク５を収容して挟持する空隙が形成されることとなる。なお、図１における符号３ｃは錠機構の一機素であるレバーカム軸を示す。
【００２７】
ガードディスク５は次のように構成される。図５に示すように、ガードディスク５は、ＳＰＣＣを素材とし、浸炭焼き入れ処理がなされ、クロメートメッキ処理を施して、全体が中心孔５ａを有するドーナツ形状の形態に形成される。ガードディスク５には、上記中心孔５ａと、中心孔５ａを取り囲むように形成される厚みの大きな環状の段部５ｂと、段部５ｂを取り囲み、段部５ｂよりも厚みが小さな鍔部５ｃと、室内側の面に穿たれ、ベアリング手段の一態様である８個のボール６を等間隔で受容する８個の凹部５ｄとが形成される。
【００２８】
ボール６は焼き入れ処理を施したステンレス鋼（ＳＵＳ４４０Ｃ）であり、高強度、高硬度機能を有するように形成されていて、ガードディスク５の凹部５ｄに受容され、ケース２の室外側の面に遊びが存しないように設けられる。
【００２９】
このように、ガードディスク５にボール６を組み込み、ケース２とガードプレート３との間に介在させ、皿ねじ７を締付けることで、図１に示す錠ケース１のユニット体が製作されることとなる。
【００３０】
このように構成される錠ケース１においては、ガードプレート３の段付き部３ｂ裏側（室内側）に収容されるガードディスク５と、ケース２との間に、ボール６が介在するので、ガードディスク５はシリンダ錠４を支持軸としてその周囲を回転できるように支持される。これにより、ガードディスク５にホールソー８などによって外部から回転力が作用したとき、ガードディスク５はボール６が凹部５ｄに保持された状態でシリンダ錠４回りをケース２に対して相対回転が自在に行えるようになっている。
【００３１】
また、図６によく示されるように、シリンダ錠４外周に嵌め込まれるガードプレート３の穴部３ａの内周縁と、シリンダ錠４外周との間に形成される環状隙間Ｇを埋めるように、ガードディスク５の環状の段付き部５ｂが嵌め込まれ、かつ、段付き部５ｂをガードプレート３の室外側表面Ｓと略面一に形成される。
【００３２】
また、シリンダ錠４の鍵挿入側端面４ａは、ガードプレート３の室外側表面Ｓと略同一面か、または、微少量だけ外方へ突出させた状態に設定される。これにより、シリンダ錠４の大半は錠ケース１の内部に格納されることとなり、シリンダ錠４自体への攻撃や破壊に対する対策を講じた構成となっている。
【００３３】
本一実施形態によれば、ホールソー８などを使用した破壊を受けたとき、ホールソー８の刃先がガードディスク５に到達し、その回転力がガードディスク５に伝達される。ガードディスク５はシリンダ錠４を回転中心として、ボール６を介してケース２に対して回転するため、ホールソー８はケース２を破壊することができない。万一、ガードディスク５が削られたとしても、ボール６が存在するため、ホールソー８の刃先８ａを損傷させるので、ホールソー８による破壊を困難にし、あるいは不可能にする。また、錠ケース１の構成部品であるガードプレート３、ガードディスク５、およびボール８には、焼き入れ処理が施されているので、通常のドリルによる破壊も不可能にする。したがって、シリンダ錠４の破壊、もぎ取りを未然に効果的に防止できる。
【００３４】
また、ガードディスク５とケース２との間にボール８を設けただけの簡単な構成であるので、シリンダ錠４の鍵挿入側端面４ａ近傍におけるケース２外面までの寸法を小さく設定でき、シリンダ錠４のもぎ取り対策に有利となり、外観体裁も向上できる。
【００３５】
また、環状隙間Ｇからガードディスク５が外部から露呈するので、ホールソー８の刃８ａがガードディスク５に噛みつき易くなり好都合となる。
【００３６】
以上、本発明を一実施形態により詳述してきたが、具体的な構成はこの一実施形態に限られるものでなく、本発明の要旨を逸脱しない範囲の設計変更等も本発明の範囲に含まれるものである。
【００３７】
例えば、上記ボールはＳＵＳ４４０Ｃを素材に形成したが、鋼球であってもよい。また、一実施形態ではサムターンを有する場合を例に挙げて説明したが、これを有しない態様のドアにも適用可能である。また、上記では環状隙間Ｇを設けた構成であったが、係る隙間Ｇを有しない態様の場合にも応用できるのは勿論である。
【産業上の利用可能性】
【００３８】
本発明に係る錠ケースは、ホールソー等による攻撃から錠ケースが破壊されるのを防止する錠前の製造に利用可能である。
【図面の簡単な説明】
【００３９】
【図１】本発明の一実施形態に係る錠ケースの外観側面図である。
【図２】同じく、図１のＩＩ−ＩＩ線における縦断面図である。
【図３】同じく、ガードプレートの外観側面図である。
【図４】同じく、図３のＩＶ−ＩＶ線における縦断面図である。
【図５】同じく、ガードディスクの外観図である。
【図６】同じく、図２の要部拡大縦断面図である。
【符号の説明】
【００４０】
１  錠ケース
２  ケース
３  ガードプレート
３ａ  穴部
３ｂ  段差部
３ｄ  ガードプレートの室外側表面の基本面
４  シリンダ錠
４ａ  シリンダ錠の鍵挿入側端面
５  ガードディスク
５ａ  中心孔
５ｂ  段付き部
５ｃ  鍔部
５ｄ  凹部
６  ボール
７  皿ねじ
８  ホールソー
Ｇ  環状隙間
Ｓ  ガードプレートの室外側表面
【図１】
0005050172.tif 000002
【図２】
0005050172.tif 000003
【図３】
0005050172.tif 000004
【図４】
0005050172.tif 000005
【図５】
0005050172.tif 000006
【図６】
0005050172.tif 000007